(57)【要約】【課題】雀の稲穂食害のような鳥による農作物被害を防止するための鳥除け具として、鳥除け効果が大きく、効果の持続性に優れ、構造的に簡素で設置に要する労力及び費用が少なくて済むものを提供する。【解決手段】下端部２ｂを地中に突き刺して立設する支柱２の頂部２ａに、曲がった茶色系の棒状タワシ形の動物疑似穂１が取り付けられてなる。【選択図】図１
0003127036.tif 000002
【実用新案登録請求の範囲】
【請求項１】
下端部を地中に突き刺して立設する支柱の頂部に、曲がった茶色系の棒状タワシ形の動物疑似穂が取り付けられてなる鳥除け具。
【請求項２】
動物疑似穂がＳ字形、３の字形、くの字形のいずれかに曲げられてイタチ科の動物に疑似する請求項１記載の鳥除け具。
【請求項３】
動物疑似穂が全長２０〜５０ｃｍ、外径４〜７ｃｍで、支柱の長さが９０〜１３０ｃｍである請求項１又は２に記載の鳥除け具。
【請求項４】
動物疑似穂がシュロの毛を二重の針金間に挟んで捩って束ねたものである請求項１〜３の何れかに記載の鳥除け具。
【請求項５】
動物疑似穂が前記支柱の頂部に回転自在に取り付けられてなる請求項１〜４の何れかに記載の鳥除け具。
【考案の詳細な説明】
【技術分野】
【０００１】
本考案は、雀による稲穂の食害のような鳥による農作物被害を防止するために、田畑の中に立設して鳥が近寄りにくくする鳥除け具に関する。
【背景技術】
【０００２】
稲作農家にとって雀による稲穂の食害は古来より深刻な問題であり、近年では昔ながらの案山子に代わる雀除けの手段として、防鳥網やテープを張り巡らしたり、要所に張ったロープに反射テープや反射板、鳴子、風車、目玉模様風船等の脅し具を括りつけたりする方法が多用されている。
【０００３】
しかるに、これら従来の雀除け手段は、いずれも広面積の稲田に講じる上で多大な労力と費用を要するが、その割りには十分な実効が得られていないのが現状である。例えば、前記の脅し具として反射光、音、模様等による威嚇効果を狙った多くの種類のものが登場しているが、雀等の鳥類にはかなりの学習能力があるため、大抵の脅し具は短期間で慣れられて排斥効果が薄れてしまうことになる。一方、最も雀除け効果が高いとされる防鳥網は、対象外の希少な野鳥が絡まって死ぬことも多く、自然環境保護の観点からは望ましくない。
【０００４】
更に、これら従来の雀除け手段では、畦の草刈りや肥料の散布等の農作業を行う際に非常に邪魔になり、作業に困難をきたして農家を困らせる上、稲刈りを前にして撤去するにも多大な労働を余儀なくされるという問題もあった。
【考案の開示】
【考案が解決しようとする課題】
【０００５】
本考案は、上述の情況に鑑み、雀の稲穂食害のような鳥による農作物被害を防止するための鳥除け具として、鳥除け効果が大きく、且つ効果の持続性に優れ、しかも構造的に簡素で設置及び撤去に要する労力及び費用が少なくて済み、更に農作業に支障をきたさないものを提供することを目的としている。
【課題を解決するための手段】
【０００６】
上記目的を達成するために、本考案に係る鳥除け具は、図面の参照符号を付して示せば、下端部２ｂを地中に突き刺して立設する支柱２の頂部２ａに、曲がった茶色系の棒状タワシ形の動物疑似穂１が取り付けられてなるものとしている。
【０００７】
請求項２の考案は、上記請求項１の鳥除け具において、動物疑似穂１がＳ字形、３の字形、くの字形のいずれかに曲げられてイタチ科の動物に疑似する構成としている。
【０００８】
請求項３の考案は、上記請求項１又は２の鳥除け具において、動物疑似穂が全長２０〜５０ｃｍ、外径４〜７ｃｍで、支柱の長さが９０〜１３０ｃｍである構成としている。
【０００９】
請求項４の考案は、上記請求項１〜３の何れかの鳥除け具において、動物疑似穂１がシュロの毛を二重の針金間に挟んで捩って束ねたものとしている。
【００１０】
請求項５の考案は、上記請求項１〜４の何れかの鳥除け具において、動物疑似穂１が支柱２の頂部２ａに回転自在に取り付けられてなる構成としている。
【考案の効果】
【００１１】
請求項１の考案に係る鳥除け具によれば、支柱の下端部を稲田等の田畑の地中に突き刺し、その頂部に設けた動物疑似穂の上半部が稲等の農作物の平均背丈を越える程度に立設することにより、その動物疑似穂は遠目には鳥にとって最大の天敵であるイタチの如き鳥捕食動物が農作物の間から顔を出しているように見えるため、雀等が近辺に全く寄りつかなくなる上、その鳥除け効果が長く持続するから、鳥による農作物の食害が皆無になる。また、この鳥除け具は、構造的に極めて簡素であるために安価に制作できると共に、その支柱を田畑の地中に突き刺すだけで設置でき、しかも一つの設置で田畑の広面積にわたる鳥除け効果が得られるので使用数も非常に少なくて済み、もって設置に要する労力及び費用が従来の他の鳥除け手段に比較して格段に少なくなる。
【００１２】
更に、このような鳥除け具では、田畑の要所に非常にまばらに立設するだけであるため、畦の草刈りや肥料の散布等の農作業を行うのに全く邪魔にならず、しかも用済み後の撤去も支柱を引き抜くだけで簡単に行えるから、収穫前の農家の労働負担を大幅に軽減できる。
【００１３】
請求項２の考案によれば、動物疑似穂がＳ字形又はへの字形に曲げられてイタチ科の動物に疑似するから、より優れた鳥除け効果が得られる。
【００１４】
請求項３の考案によれば、鳥除け具の動物疑似穂及び支柱が特定寸法を有するから、特に稲田における雀除け用として好適なものが提供される。
【００１５】
請求項４の考案によれば、動物疑似穂の材料として一般的な亀の子タワシ製造における輪形加工前の棒状タワシを利用できるから、材料コストを大きく低減できる。
【００１６】
請求項５の考案によれば、支柱に回転自在に取り付けられた動物疑似穂が風によって向きを変え、その動きが動物疑似穂をなお一層に生きた鳥捕食動物らしく見せるから、更に優れた鳥除け効果が得られる。
【考案を実施するための最良の形態】
【００１７】
以下、本考案に係る鳥除け具の実施形態について、図面を参照して具体的に説明する。図１は鳥除け具Ｇの稲田への設置状態、図２は該鳥除け具Ｇの分解状態、図３は同鳥除け具Ｇの要部の拡大縦断面、図４（Ａ）（Ｂ）は同鳥除け具Ｇにおける動物疑似穂１の曲げ形態、をそれぞれ示している。
【００１８】
図１及び図２に示すように、この鳥除け具Ｇは、支柱２の頂部２ａに曲がった茶色系の棒状タワシ形の動物疑似穂１が取り付けられたものであり、該支柱２の下端部２ｂを稲田等の田畑の地面に突き刺して立設するようになっている。
【００１９】
この鳥除け具Ｇの動物疑似穂１は、剛毛１１…を二重の針金１２間に挟んで捩って束ね、その毛先をカットして全体が丸棒状になるように揃えて棒状タワシ形にしたものであり、図２及び図３に示すように、該針金１２の捩った末端側突出部１２ａを鍔３１付きの金属製支持筒３に挿嵌固定し、この支持筒３をパイプ状の支柱２の頂部２ａ側に挿入することにより、支持筒３の鍔３１を介して該支柱２の頂端で支承されている。
【００２０】
支柱２は、パイプ材の下端部２ｂに、地中へ突き刺すための尖端キャップ２１を嵌着している。しかして、該支柱２の内径は支持筒３の外径よりも大きく設定されており、これによって動物疑似穂１が支持筒３と一体に支柱２に対して相対回転可能になっている。
【００２１】
なお、動物疑似穂１の支持筒３への固定は、図３に示すように、該支持筒３の上部３ａを外側からプレスして絞ることにより、挿嵌している針金１２の末端側突出部１２ａを締着するようにしている。
【００２２】
このような構成の鳥除け具Ｇは、例えば稲田における雀除けとして用いる場合、図１に示すように、動物疑似穂１をＳ字形等に曲げた状態として、この動物疑似穂１の上半部が稲Ｒ…の平均背丈を越える程度の高さになるように、支柱２の下端部２ｂを稲田の地面に突き刺して立設する。これにより、動物疑似穂１は、遠目には雀にとって最大の天敵であるイタチの如き鳥捕食動物が稲Ｒ…の間から顔を出しているように見える上、風を受けて向きを変えることで如何にも活動的に獲物を探しているような印象を与える。
【００２３】
従って、この鳥除け具Ｇの設置により、雀は天敵を恐れて近辺に全く寄りつかなくなり、それが本物でないことは遠くから判別できないから、その雀除け効果が長く持続し、もって雀による稲穂の食害が皆無になる。なお、稲以外の種々の農作物についても、また雀以外の野鳥による食害に対しても、この鳥除け具Ｇを田畑の要所に設置することで、同様に優れた鳥除け効果を持続的に発揮できる。
【００２４】
そして、この鳥除け具Ｇは、構造的に極めて簡素であるために安価に制作できると共に、その支柱２を田畑の地中に突き刺すだけで設置でき、しかも一つの鳥除け具Ｇによって田畑の広面積にわたる鳥除け効果が得られるので使用数も非常に少なくて済み、もって設置に要する労力及び費用が従来の他の鳥除け手段に比較して格段にすくなくなる。また、このような鳥除け具は、田畑の要所に非常にまばらに立設するだけでよいから、畦の草刈りや肥料の散布等の農作業を行う際に全く邪魔にならず、しかも用済み後の撤去も支柱を引き抜くだけで簡単に行え、もって収穫前の農家の労働負担を大幅に軽減できる。
【００２５】
動物疑似穂１の剛毛１１…としては、タワシやブラシに用いられている天然の動植物毛や合成樹脂フィラメントで茶系の色合いのものをいずれも使用できるが、材料コストとイタチ科の動物に似せるための外観から、特に植物毛であるシュロ（棕櫚）の毛が好ましい。なお、ここでいう剛毛１１…の茶系の色合いとは、赤茶色（茶褐色）、焦げ茶色、薄茶色、黄褐色等を包含する。
【００２６】
しかして、シュロの毛を用いた最も一般的な亀の子タワシは棒状形態（棒状タワシ）から輪形に曲げて製作されるから、その曲げ加工前の棒状形態のものを動物疑似穂１用の安価な材料として好適に利用できる。図２で示す動物疑似穂１は、この亀の子タワシ製造における曲げ加工前の棒状形態のものである。
【００２７】
なお、亀の子タワシ製造用の棒状タワシでは、亀の子タワシにおいて外周部に巻き締めるためのシュロ紐１３が剛毛１１…群を分けるよう長手方向に沿って配置している。このシュロ紐１３は、動物疑似穂１に用いる際に除外しても差し支えないが、その配置部が疑似させる動物形の背側にくるように動物疑似穂１を曲げておけば、図１に示すように剛毛１１…群の分かれた状態が背模様に見えることに加え、その先端部１３ａを図示の如く動物疑似穂１の先から数ｃｍ程度に突き出させておくことにより、該先端部１３ａが動物の髭のように見えるから、イタチ科の動物としてよりリアルな外観が得られるという利点がある。更に、針金１２のリング状先端部１２ｂは、図１に示すように動物疑似穂１の先から突出して鼻のように見えるから、これも動物疑似穂１をイタチ科の動物らしく見せるのに役立っている。
【００２８】
一方、支柱２としては、材質的に特に制約はないが、金属パイプに緑色の合成樹脂チューブを被せたり緑色の塗装を施した市販の園芸用支柱（尖端キャップ２１付き）を好適に用いることができる。
【００２９】
また、支持筒３としては、例示した金属製以外に、合成樹脂製のものも使用できると共に、鍔３１を別部材として嵌着する構成も採用できる。そして、合成樹脂製の支持筒３では、動物疑似穂１の針金１２の挿嵌した末端側突出部１２ａに対し、接着、融着、圧嵌等の固定手段を採用できる。
【００３０】
動物疑似穂１の曲げ形態としては、イタチ科の動物に似せる上で、図１及び図４（Ａ）で示すようなＳ字形が最適であるが、図４（Ｂ）で示すように棒状タワシのやや上部で曲げたくの字形や、３の字形（図示省略）でもよい。そして、これらの曲げ形態とした動物疑似穂１は、実際の稲田への設置テストにより、いずれも非常に優れた鳥除け効果を発揮できることが実証されている。
【００３１】
動物疑似穂１のサイズとしては、イタチ科の動物に似せる上で、全長２０〜５０ｃｍ程度、外径４〜７ｃｍ程度とするのがよい。また、支柱２の長さは、鳥除け対象とする農作物の背丈と土壌の状況によって好適範囲が異なるが、一般的な稲田用では地中へ１０ｃｍ程度突き刺すとして９０〜１３０ｃｍの範囲が好適である。
【００３２】
なお、本考案の鳥除け具は、実施形態のように動物疑似穂１が支柱２に対して相対回転可能な構成の他、動物疑似穂１が支柱２に直接に固着された構成も包含すると共に、細部構成については実施形態以外に種々設計変更可能である。
【図面の簡単な説明】
【００３３】
【図１】本考案の一実施形態に係る鳥除け具の設置状態の外観図である。
【図２】同鳥除け具の分解側面図である。
【図３】同鳥除け具の動物疑似穂と支柱との連結部の拡大縦断面図である。
【図４】同動物疑似穂の曲げ形態を示し、（Ａ）はＳ字形の曲げ形態の側面図、（Ｂ）はくの字形の曲げ形態の側面図である。
【符号の説明】
【００３４】
１      動物疑似穂
１１    剛毛
１２    針金
１２ａ  末端側突出部
２      支柱
２ａ    上端部
２ｂ    下端部
Ｇ      鳥除け具
Ｒ      稲
【図１】
0003127036.tif 000003
【図２】
0003127036.tif 000004
【図３】
0003127036.tif 000005
【図４】
0003127036.tif 000006